(57)【特許請求の範囲】
【請求項１】
電子カメラにおいて、
撮像した画像を報知画像として登録し、所定の表示開始時期が到来したときに、その表示開始時期に対応する登録済み報知画像を表示する、ことを特徴とする画像表示による報知方法。
【請求項２】
撮像を指示する撮像指示手段と、
前記撮像指示手段による撮像指示により撮像した画像を報知画像として登録する報知画像登録手段と、
前記報知画像の表示開始時間を示す表示条件を登録する表示条件登録手段と、
前記報知画像登録手段により登録されている報知画像を、前記表示条件登録手段に登録されている表示条件により示される表示開始時期に表示手段に表示させる表示制御手段と、
を備えることを特徴とする電子カメラ。
【請求項３】
前記報知画像登録手段は、再生した記録画像の中から選択された画像を報知画像として登録することを特徴とする請求項２記載の電子カメラ。
【請求項４】
音響出力手段或いは振動手段を備え、前記報知画像の表示時に音響出力或いは振動することを特徴とする請求項２記載の電子カメラ。
【発明の詳細な説明】
【０００１】
【発明の属する技術分野】
本発明は所定の時期に所定の情報を報知する報知技術に関し、特に、電子カメラにおける報知技術に関する。
【０００２】
【従来の技術】
時計や電子手帳等で、指定された時間になると時計や電子手帳等の所持者に音や文字メッセージで所定の情報を報知する報知機能を備えたものがある。
【０００３】
【発明が解決しようとする課題】
上記従来の報知方法では所持者に報知される情報が音や文字メッセージのために報知する情報の量や質に限界があった。
また、文字メッセージを報知する場合には文字を入力する必要があり、文字入力に手間がかかるという問題点もあった。
【０００４】
一方、画像の記録および再生表示が可能な携帯型機器として液晶表示部を備えたデジタルカメラがある。ここで、デジタルカメラで撮像した画像を報知用画像として用いることが出来れば、従来の音や文字メッセージによる報知に比較して遥かに多くの情報を簡単に所持者（ユーザ）に伝達することができる。
【０００５】
本発明は上記問題点におよび課題に鑑みてなされたものであり、画像表示による報知方法および電子カメラの提供を目的とする。
【０００６】
【課題を解決するための手段】
上記の目的を達成するために、第１の発明の画像による報知方法は、電子カメラにおいて、撮像した画像を報知画像として登録し、所定の表示開始時期が到来したときに、その表示開始時期に対応する登録済み報知画像を表示する、ことを特徴とする。
【０００７】
また、第２の発明の電子カメラは、撮像を指示する撮像指示手段と、撮像指示手段による撮像指示により撮像した画像を報知画像として登録する報知画像登録手段と、報知画像の表示開始時間を示す表示条件を登録する表示条件登録手段と、報知画像登録手段により登録されている報知画像を、表示条件登録手段に登録されている表示条件により示される表示開始時期に表示手段に表示させる表示制御手段と、を備えることを特徴とする。
【０００８】
また、第３の発明は、上記第２の発明の電子カメラにおいて、報知画像登録手段は、再生した記録画像の中から選択された画像を報知画像として登録することを特徴とする。
【０００９】
また、第４の発明は、上記第２の発明の電子カメラにおいて、音響出力手段或いは振動手段を備え、報知画像の表示時に音響出力或いは振動することを特徴とする。
【００１０】
【発明の実施の形態】
＜回路構成例＞
図１は、本発明の画像による報知方法を適用可能なデジタルカメラの回路構成例を示すブロック図である。
図１で、デジタルカメラ１００は、光学系１１、信号変換部１２、信号処理部１３、ＤＲＡＭ１４、制御部２０、操作部３０、表示部４０、フラッシュメモリ５０および電源９０を有している。また、音入出力装置４５或いは振動装置（バイブレータ）４７を設けるようにしてもよい。
【００１１】
光学系１１は、撮像レンズ１１１および自動絞り機構等（図示せず）を含み、撮像レンズ１１１を介して集光された被写体像の光束を後段の撮像素子（ＣＣＤ）上に結像させる。
【００１２】
信号変換部１２は、ＣＣＤおよび信号変換回路等を含み、前段の光学系１１を介してＣＣＤに結像した画像を電気信号に変換し、デジタルデータに変換して一定の周期で出力する。
【００１３】
信号処理部１３は、通常撮像モード時には信号変換部１２からの出力を処理して、デジタルの輝度、色差マルチプレクス信号（Ｙ，Ｃｂ，Ｃｒデータ）等の信号成分を得て、Ｙ，Ｃｂ，Ｃｒデータ（以下、画像データ）をＤＲＡＭ１４に転送し、一時的に記憶する。また、スルー画像（動画）表示するために、取込んだ画像データを間引いて表示部４０に送る。また、シャッター操作がされるとその時点の画像データを表示部４０に送って静止画表示させる。
【００１４】
信号処理部１３は、また、記録保存の際にＤＲＡＭ１４に書込まれている画像データを読み出してＪＰＥＧ圧縮処理を施し、再生時に記録用メモリ（フラッシュメモリ）５０に保存記録されていた画像データに伸張処理を施して画像データを再生する。
【００１５】
ＤＲＡＭ１４は作業用メモリとして用いられ、撮像画像を一時的に記憶する画像バッファ領域やＪＰＥＧ圧縮／伸張時の作業用領域等が確保される。
【００１６】
制御部２０はＣＰＵ、ＲＡＭ、プログラム格納用ＲＯＭおよびタイマ等を有したマイクロプロセッサ構成を有しており、ＣＰＵは、上述の各回路および図示しない電源切換えスイッチ等にバスラインを介して接続し、プログラム格納用ＲＯＭに格納されている制御プログラムによりデジタルカメラ１００全体の制御を行なうと共に、操作部３０からの状態信号に対応してプログラム格納用ＲＯＭに格納されている各モードに対応の処理プログラムを取り出して、デジタルカメラ１００の各機能の実行制御、例えば、撮像や記録画像の再生機能の実行等を行なう他、報知画像登録処理プログラムによる報知開始時刻や、報知間隔および繰り返し回数等の報知条件の登録や報知用画像の選択や報知画像表示プログラムによる画像表示による報知の実行等を行なう。
【００１７】
操作部３０は処理モード切替えスイッチ、機能選択用ボタン、メインスイッチ、プラス／マイナスボタン（＋／−ボタン）３５、シャッターボタン３６、報知画像登録モード選択ボタン３７等のスイッチやボタンを構成部分としており、これらのスイッチ或いはボタンが操作されると状態信号が制御部２０に送出される。
【００１８】
表示部４０はビデオエンコーダ、ＶＲＡＭおよび液晶画面（ＬＣＤ）等から構成されており、制御部２０の表示制御により、撮像時のスルー画像および再生時の再生画像、処理選択時の選択用メニューやガイド（或いはアイコン）の表示等の他、報知画像の表示を行なう。
【００１９】
フラッシュメモリ５０は信号処理部１３からの画像データを記録する。また、報知モード下で設定された各報知条件（報知画像の画像番号および報知開始時間やＨＥＬＰ画像番号、報知間隔、繰り返し回数等）を登録した報知画像表示条件リスト（図２）を記録することができる。
【００２０】
また、フラッシュメモリ５０には画像データを記録する領域および画像データの記録時に当該画像の撮像モードや撮像条件および撮像時間間隔等を登録する画像情報登録リストを記録することもできる。なお、フラッシュメモリに代えて着脱可能なＩＣカードを用いるようにしてもよい。
【００２１】
また、音入出力装置４５を設けた場合には、画像による報知時にユーザに報知画像が表示されることを知らせるための音（例えば、ベル音、ビー音、動物（鳥等のなき声））を連続または断続的に出力することができる。なお、出力する音はメーカで登録した音でもよいが、ユーザが入力し登録した音を用いてもよく、また、ユーザがメーカー登録の音の音調を変えて用いるようにしてもよい。
【００２２】
また、音入出力装置４５に代えて音声を入出力する音声入出力装置を設けるようにしてもよい。この場合は、フラッシュメモリ５０にメーカで設定した音声メッセージデータを登録しておくようにしてもよいが、ユーザの音声入力による音声登録でもよく、また、好みの曲を入力して登録するようにしてもよい。
【００２３】
また、これらに代えて振動装置４７を設けた場合には、報知時にユーザに報知画像が表示されることを知らせためにデジタルカメラ１００を振動させてその旨をユーザに知らせる。
【００２４】
＜報知画像表示条件リスト＞
図２は報知画像表示条件を登録した報知画像表示条件リストの一実施例の説明図であり、報知画像表示条件リスト６０は、報知時刻の到来（または待ち時間の経過）によりアラームや、予定、或いは準備事項や注意事項等を画像でユーザに報知する報知画像の画像番号を登録する画像番号欄６１、報知開始時刻（年／月／日／時／分）を登録する報知開始時刻欄６３を有している。なお、図２（ａ）に示すように報知画像の内容を更に詳細に知らせる画像（ＨＥＬＰ画像）がある場合にはその画像番号を登録するＨＥＬＰ画像番号欄６２や報知時間間隔を登録する報知時間間隔欄６４、報知時間間隔毎に報知画像表示を繰り返す回数を登録する繰り返し回数登録欄６５およびその他の情報欄６６を設けるようにしてもよい。また、繰り返し回数欄６５を設ける代りに報知終了時期（時刻）欄を設けるようにしてもよく、また、図２（ｂ）に示すように報知開始時刻欄を複数設けるようにしてもよい。
【００２５】
図２（ａ）の報知画像表示条件リスト６０の例で、画像番号が「１５」の画像は報知用の被写体像を撮像（または再生記録画像から選択）して報知画像として（図５（ｂ））、保存記録し（図５（ｃ））、登録時刻にアラーム音と共に画像表示するようにした例（図５（ｄ））であり、報知開始時刻欄６３に報知開始時刻（１９９８年１１月１０日午前７時３０分）が登録されている。また、この例では報知時間間隔欄６４に報知時間間隔（６時間）、繰り返し回数欄６５に繰り返し回数（２回）が登録されているので、午前７時３０分にアラーム音と共に画像表示がされた後、午後１時３０分と午後７時３０分にもアラーム音と共に画像表示がされる。
【００２６】
なお、この例で、繰り返し回数欄６５の代りに報知終了時期（時刻）欄を設けた場合には、午前７時３０分にアラーム音と共に画像表示した後、６時間（この例の報知時間間隔）毎にアラーム音と共に画像表示を繰り返すが、報知終了時期を午後８時（この例では、報知終了時期＞午後７時３０分であればよい）とした場合には、午後７時３０分にアラーム音と共に画像表示した後は報知を行なわない。
【００２７】
また、画像番号が「１２０」，「１２２」の画像は報知用の被写体像（図７（ａ））と文字メッセージ（図７（ｂ），（ｃ））を撮像（または再生記録画像から選択）して報知画像およびＨＥＬＰ画像とし、登録時刻にアラーム音と共に画像表示するようにした例である。ＨＥＬＰ画像番号欄６２にはＨＥＬＰ画像の画像番号が登録され、報知開始時刻欄６３には報知開始時刻（１９９８年１１月１２日午前８時）が登録されている。また、９時間後に１度に繰り返すように報知時間間隔欄６４には時間間隔（９時間）が、繰り返し回数欄６５には繰り返し回数（１回）が登録されている。
【００２８】
また、図２（ｂ）の報知画像表示条件リスト６０’の例は、画像番号が「２３」の画像は報知用の被写体像を撮像（または再生記録画像から選択）して報知画像として保存記録し（図５（ｂ））、報知開始時刻をユーザが複数登録した例であり、報知開始時刻欄６３−１，６３−２，６３−３に報知開始時刻が登録されている。この例では１９９８年１０月５日の午前８時にアラーム音と共に画像表示がされた後、その日の午後５時３０分と１１日の午前８時にもアラーム音と共に画像表示がされる。
【００２９】
＜画像による報知＞
本発明の画像表示による報知方法によれば、撮像した画像または記録画像から選択した画像を報知画像として用い、報知画像表示条件リストに登録した表示条件に基づいて画像表示による報知を行なうことができる。
また、本実施例では撮像した画像または記録画像から選択した画像を報知画像登録処理プログラムにより報知画像表示条件リストに登録し、報知画像表示プログラムにより報知画像表示条件リストに登録した表示条件に基づいて画像表示による報知が行なわれる。
【００３０】
すなわち、図３の説明図に示すように報知画像登録処理プログラム２８は、撮像モード下で報知画像登録モードが選択されると撮像した画像を報知画像として表示条件と共に報知画像表示条件リストに登録する撮像登録モジュール２８−１と、再生モード下で報知画像登録モードが選択されると再生された記録画像の中からユーザが選択した画像を報知画像として表示条件と共に報知画像表示条件リスト６０に登録する記録画像登録モジュール２８−２からなっている。また、本実施例では報知画像表示プログラム２９は電源のオン／オフに拘らず常時起動状態にあって、報知画像表示フラグ（後述）を監視し、常時報知画像表示フラグがオンの場合に報知画像表示条件リスト６０に登録した表示条件に基づいて画像表示による報知を行なう。
【００３１】
＜実施例１＞：（撮像した画像を報知画像として用いる例）
本実施例は報知画像を撮像して登録し、報知時期が到来すると画像による報知を行なう例である。なお、この例ではデジタルカメラ１００は音入出力装置４５を備えている。
【００３２】
図４はデジタルカメラ１００の撮像画像の報知画像登録動作の一実施例を示すフローチャートであり、報知時期および報知条件を撮像時に設定する例である。
【００３３】
また、図５はデジタルカメラ１００の報知画像表示動作を示すフローチャート、図６は報知条件等選択・設定画面の例を示す図、図７は撮像時の操作案内表示の例を示す図、図８は報知画像表示の一例を示す図である。
【００３４】
［撮像の報知画像登録動作］
ステップＳ０：（報知画像登録処理プログラム等の起動）
図４で、デジタルカメラ１００の電源がオンになると、制御部２０は報知画像登録処理プログラム２８を起動する。なお、前述したように報知画像表示プログラム２９が起動されており、図４の報知画像登録処理と図５の報知画像表示処理は並列処理される（報知画像表示プログラム２９を報知画像登録処理プログラム２８の起動と同時に起動するようにしてもよい）。
【００３５】
ステップＳ１：（報知画像の有無判定）
制御部２０は報知画像表示条件リスト６０をサーチし、報知画像表示条件リスト６０に報知画像がある場合には報知画像表示フラグをオンにし、報知画像表示条件リスト６０に報知画像がない場合には報知画像表示フラグをオフにする。  報知画像表示フラグは報知画像表示プログラム２９による報知画像表示可否の判定動作開始用のフラグであり、オンの場合に報知画像表示プログラム２９による報知画像表示可否の判定動作が開始される（図５参照）。また、報知画像表示フラグは制御部２０のＲＡＭ（またはフラッシュメモリ５０の所定領域）に確保された一定長（例えば、１バイト（１ビットでもよい））のフラグであり、１または０の値をとる（本実施例では、報知画像表示フラグの値＝１ならオン、０ならオフと対応付けている）。
【００３６】
ステップＳ２：（処理モードの判定）
制御部２０はユーザが撮像モードを選択した場合にはＳ３に遷移する。
また、ユーザが撮像モード以外の処理モードを選択した場合にはその処理モードの実行に制御を移す。
【００３７】
ステップＳ３：（報知画像登録モード選択の有無判定）
制御部２０は操作部３０からの状態信号を調べ、ユーザが報知画像登録モード選択ボタン３７を押したか否かを判定し、報知登録モード選択ボタン３７が押された場合にはＳ４に遷移する。また、報知登録モード選択ボタン３７が押されない場合にはＳ１３に遷移する。
【００３８】
ステップＳ４：（報知条件等選択・設定画面表示）
制御部２０は図６に示すような報知条件等選択・設定画面８０を表示してユーザの選択および設定を促し、Ｓ５に遷移する。
【００３９】
ステップＳ５：（報知条件等の選択・設定）
ユーザは、画面上に表示された報知開始時間、報知時間間隔および繰り返し回数および説明画像（ＨＥＬＰ画像）表示の要否等をカーソル、マウス或いはタッチペン等で指定してそれらを設定または選択することができる。
図６で、１桁の数字を１個指定した場合にはその１桁の数字の示す値が設定され、１桁の数字を２個指定した場合にはその順の２桁の数字が示す値が設定される（８を指定すれば８時間が、１２を指定すれば１２時間が設定される（言うまでもないが、限度を越えた指定値（例えば、報知開始時間＝３１）は設定されず再指定が促される））。また、２桁の数字を１組指定した場合にはその順の２桁の数字が示す値が設定される（例えば、３０が指定されれば３０分が設定される）。また、設定値を指定したあと、設定した値が月、日、時、分のいずれの値かを示すために月、日、時、分のいずかを指定する。このようにして、月／日／時／分の単位で開始時期（時刻）を、時／分の単位で時間間隔を指定することができる。
【００４０】
なお、図６の例では報知開始時間、報知時間間隔および繰り返し回数を指定できるようにしたが、報知開始時間のみ設定（複数設定可（図２（ｂ）参照）できるようにしてもよい。この場合、「何曜日の何時に報知開始」、「毎日何時に報知開始」とういうように設定できるように報知条件等選択・設定画面の表示を行なうようにしてもよい。
【００４１】
ステップＳ６：（画像の取込、スルー画像表示等）
制御部２０は信号処理部１３を制御して被写体画像のＤＲＡＭ１４への取込みおよび表示部４０へのスルー画像表示を行なう。
【００４２】
ステップＳ７：（撮像指示操作）
ユーザがシャッターボタン３６を操作すると撮像が行なわれ、静止画像が表示部４０の画面に表示される。
【００４３】
ステップＳ８：（画像記録処理）
撮像後、画像データはＪＰＥＧ圧縮処理されてフラッシュメモリ５０に保存記録される。
【００４４】
ステップＳ９：（説明画像（ＨＥＬＰ画像）の撮像の要否判定）
上記ステップＳ５でユーザが説明画像（ＨＥＬＰ画像）を選択した場合にはＳ１１に遷移する。ＨＥＬＰ画像は報知画像の補足説明等の文字メッセージ画像や、報知画像を補足する画像（例えば、遠足の報知画像のＨＥＬＰ画像として、用意するもの画像）等がある場合に必要に応じてユーザが撮像するものであり、ＨＥＬＰ画像はそれに先行して撮られた直近の報知画像に従属する。
【００４５】
ステップＳ１０：（報知画像の登録処理）
制御部２０は上記ステップＳ８でフラッシュメモリ５０に保存記録した画像の画像番号をフラッシュメモリ５０上の報知画像表示条件リスト６０の画像番号欄６１に登録する。同時に、制御部２０は上記ステップＳ５で設定した報知開始時刻を報知開始時刻欄６３に、報知時間間隔を報知時間間隔欄６４に、繰り返し回数を繰り返し回数欄６５に登録する。また、報知画像表示フラグをオンにしてＳ１２に遷移する。
【００４６】
ステップＳ１１：（ＨＥＬＰ画像の登録処理）
制御部２０は報知画像表示条件リスト６０でこの画像の前の画像（報知画像）のＨＥＬＰ画像番号欄６２に上記ＨＥＬＰ画像の画像番号を登録する。
なお、本実施例では複数のＨＥＬＰ画像を登録可能としているので上記ステップＳ８でフラッシュメモリ５０に保存記録した画像の画像番号をフラッシュメモリ５０上の報知画像表示条件リスト６０の画像番号欄６１に登録すると同時に、ＨＥＬＰ画像番号欄６２〜繰り返し回数欄６５を０またはスペース（空白）でクリアし、次のＨＥＬＰ画像の画像番号をＨＥＬＰ画像番号欄６２に登録できるようにする（図５のステップＴ８参照）。
【００４７】
ステップＳ１２：（撮像モード終了判定）
制御部２０は操作部３０からの状態信号を調べ、撮像モード終了操作が行なわれた場合には処理を終了し、そうでない場合にはＳ３に戻る。
【００４８】
ステップＳ１３：（画像の取込、スルー画像表示等）
制御部２０は信号処理部１３を制御して被写体画像のＤＲＡＭ１４への取込みおよび表示部４０へのスルー画像表示を行なう。
【００４９】
ステップＳ１４：（撮像指示操作）
ユーザがシャッターボタン３６を操作すると撮像が行なわれ、静止画像が表示部４０の画面に表示される。
【００５０】
ステップＳ１５：（画像記録処理）
撮像後、画像データはＪＰＥＧ圧縮処理されてフラッシュメモリ５０に保存記録される。画像記録処理後はＳ１２に遷移する。
【００５１】
なお、上記ローチャートでは報知条件等選択・設定処理（ステップＳ４，Ｓ５）を撮像処理（ステップＳ６〜Ｓ８）の前に行なったが、報知条件等選択・設定処理を撮像処理の後に行なうようにしてもよい。
【００５２】
また、上記ステップＳ４の報知条件等選択・設定画面での表示およびステップＳ５の時刻の選択・設定では報知開始時刻を設定するようにしたが、時刻の設定ではなく、何時間後に報知させるといった設定を行なえるようにしてもよい。この場合、時刻計算ではなく、タイマーのカウントダウン（または、カウントアップ）で行なうようにしてもよい。
【００５３】
また、上記フローチャートではＨＥＬＰ画像（説明画像）を撮像可能とした例について説明したが、上記ステップＳ９〜Ｓ１１を削除してＨＥＬＰ画像を撮像しないようにしてもよい。また、上記ステップＳ４の報知条件等選択・設定画面でＨＥＬＰ画像の代りにメッセージ入力の要否を問うメニューを表示し、ステップＳ５でそれが選択された場合には、ステップＳ９でステップＳ１１に遷移するようにして、ステップＳ１１で文字データを入力するようにしてもよい。この場合、入力された文字メッセージはフラッシュメモリ５０に保存記録し、報知画像表示条件リスト６０のその他の情報欄６６にその文字データの記録位置およびサイズが登録される。文字データは報知の際に報知表示画像に重畳されて表示することができる。
【００５４】
［報知画像表示動作］
ステップＴ０：（報知画像フラグのオン／オフ判定）
制御部２０は常に報知画像表示プログラム２９を起動状態におき、報知画像フラグのオン／オフを監視し、報知画像フラグがオンのときはＴ１に遷移し、オフのときはオンになるまで待つ。報知画像表示フラグは制御部２０のＲＡＭ（またはフラッシュメモリ５０の所定領域）に確保された一定長（例えば、１バイト（１ビットでもよい））のフラグであり、１または０の値をとる（本実施例では、報知画像表示フラグの値＝１ならオン、０ならオフと対応付けている）。また、報知表示フラグは報知画像登録処理プログラム２８によってオン／オフされる（図４のステップＳ１，Ｓ１０、図９のステップＵ１，Ｕ９参照）。
なお、このステップで報知画像表示フラグの監視に代えて、報知画像表示プログラム２９で報知画像表示条件リスト６０をサーチし、報知画像表示条件リスト６０に報知画像がある場合にはＴ１に遷移し、ない場合には報知画像が登録されるまで待つようにしてもよい（この場合には、図４のステップＳ０，Ｓ１と図９のステップＵ０の報知画像の有無判定および報知画像表示フラグ設定のステップは不要であり、また、図４のステップＳ１０と図９のステップＵ９の報知画像の登録処理での報知画像表示フラグ設定動作も不要となる）。
【００５５】
ステップＴ１：（報知時期到来の有無判定）
図５で、制御部２０は報知画像表示条件リスト６０をサーチして得た報知開始時期（年／月／日／時分）と現在の時刻（年／月／日／時分）が一致している場合にはＴ２に遷移し、報知開始時刻が未到来の場合には報知開始時期と現在の時刻が一致するまで待つ。
【００５６】
ステップＴ２：（電源オン；アラーム音の出力）
上記ステップＴ２で報知時期が到来（報知開始時期＝現在の時刻）すると、制御部２０は自動的に電源をオンにし、音入出力装置４５を制御してビー音を出して画像表示による報知がなされることをユーザに知らせる。
【００５７】
ステップＴ３：（報知画像表示）
制御部２０は報知画像表示条件リスト６０の画像番号欄６１に登録されている画像番号をキーとしてフラッシュメモリ５０に保存記録されている画像データを取り出して、伸張処理を施して画像を再生し、報知画像として表示部４０に表示する。
【００５８】
ステップＴ４：（説明画像（ＨＥＬＰ画像）の有無判定）
制御部２０は報知画像表示条件リスト６０をサーチし、現在表示されている画像番号に対応するＨＥＬＰ画像番号欄６２の内容を調べ、ＨＥＬＰ画像番号欄６２に画像番号が登録されている場合にはＴ５に遷移し、そうでない場合（すなわち、０或いは空白の場合）にはＴ１４に遷移する。
【００５９】
ステップＴ５：（操作案内表示（イ））
制御部２０は「ＨＥＬＰ画像がある」旨のメッセージと「ＨＥＬＰ」画像表示の要否選択方法（メッセージ或いはアイコン）を報知画像９１が表示されている画面に重畳表示する（図７（ａ））。
【００６０】
ステップＴ６：（ＨＥＬＰ画像の表示の要否選択）
制御部２０はユーザが上記ステップＴ５で指定された方法でＨＥＬＰ画像表示を選択した場合にはＴ７に遷移し、そうでない場合にはＴ１１に遷移する。
【００６１】
ステップＴ７：（ＨＥＬＰ画像の表示）
制御部２０は報知画像表示条件リスト６０のＨＥＬＰ画像番号欄６２に登録されている画像番号をキーとしてフラッシュメモリ５０に保存記録されている画像データを取り出して、伸張処理を施して画像を再生し、表示部４０に表示する。
【００６２】
ステップＴ８：（次のＨＥＬＰ画像の有無判定）
制御部２０は報知画像表示条件リスト６０をサーチし、現在表示されているＨＥＬＰ画像の画像番号に対応するＨＥＬＰ画像番号欄６２の内容を調べ、ＨＥＬＰ画像番号欄６２に画像番号が登録されている場合にはＴ９に遷移し、そうでない場合（すなわち、０或いは空白の場合）にはＴ１０に遷移する。
【００６３】
ステップＴ９：（操作案内表示（ロ））
制御部２０は「元の画像（報知画像）に戻る」か「次のＨＥＬＰ画像を表示する」か「表示終了」の操作方法を示すメッセージ或いはアイコンを現在ＨＥＬＰ画像が表示されている画面に重畳表示し（図７（ｂ））、Ｔ１１に遷移する。
【００６４】
ステップＴ１０：（操作案内表示（ロ））
制御部２０は「元の画像（報知画像）に戻る」か「表示終了」するかの操作方法を示すメッセージ或いはアイコンを現在ＨＥＬＰ画像が表示されている画面に重畳表示する（図７（ｃ））。
【００６５】
ステップＴ１１：（ユーザ操作の判定）
制御部２０はユーザが上記ステップＴ５，Ｔ９或いはＴ１０で示した方法で「元の画像（報知画像）に戻る」を選択した場合にはＴ３に戻り、上記ステップＴ９で示した方法で「次のＨＥＬＰ画像を表示する」を選択した場合にはＴ７に移行し、上記ステップＴ９或いはＴ１０で示した方法で「表示終了」を選択した場合にはＴ１２に遷移し、これらのいずれかの操作がされなかった場合には現在の画像の表示を継続する。なお、「元の画像に戻る」、「次のＨＥＬＰ画像を表示する」、および「表示終了」の操作は、画面上のこれらの表示をカーソルまたはマウス等でポイント（指定）するか、これらの表示と共に選択ボタン番号（或いは選択ボタンの形状）等を表示するようにしてそのボタンを選択させることにより行なうことができる。
【００６６】
ステップＴ１２：（報知画像表示条件リスト更新（イ））
制御部２０は繰り返し回数欄６５の登録内容（この例では、繰り返し回数＝１）から１を差引いてその結果を繰り返し回数欄６５に書込んで繰り返し回数を更新すると共に、報知時間間隔欄６４に登録されている時間（この例では１０時間）を現在の時刻（年／月／日／時／分）に加算し、その結果を報知開始時刻欄６３に書込んで報知開始時刻を更新する。
【００６７】
ステップＴ１３：（繰り返し回数のゼロ判定）
なお、制御部２０は繰り返し回数欄６５の内容から１を差引いた結果が０より小さいか否かを調べ、０より小さい場合にはＴ１４に遷移し、０以上の場合にはＴ１５に遷移する。
【００６８】
ステップＴ１４：（報知画像表示条件リスト更新（ロ））
制御部２０はその画像のＨＥＬＰ画像番号欄６２の内容をＲＡＭに一時記憶してから、その画像分の登録内容を設定（この例では、報知時間間隔欄６４および繰り返し回数欄６５以外を０或いは空白とし、報知時間間隔＝６、繰り返し回数＝２として設定）して新たな報知画像の表示条件登録を可能にする。
【００６９】
ステップＴ１５：（ＨＥＬＰ画像登録の有無判定）
制御部２０はＲＡＭに一時記憶したＨＥＬＰ画像番号欄６２の内容を調べ、画像番号が登録されている場合にはＴ１４に戻って、次のＨＥＬＰ画像登録を消去する。また、画像番号が登録されていない場合にはＴ０に戻る。
なお、上記フローチャートのステップＴ２ではアラーム音を出力するようにしたが、アラーム音に限定されず、音声メッセージまたは振動により報知画像の表示をユーザに知らせるようにしてもよい。また、ステップＴ２を省略してもよい。
【００７０】
（実施例１の具体例）
図４の例では、撮像モードを選択し（Ｓ２）、報知画像登録モード選択ボタン３７を押すと（Ｓ３）、図６（ａ）に示すような報知条件等選択・設定画面８０が表示される（Ｓ４、図８（ａ））。ユーザが報知開始時刻＝１９９８年１１月１２日８時００分、報知時間間隔＝９時間、繰り返し回数＝１を設定し、設定操作が終ると（Ｓ５）、画像が取込まれ、スルー画像が表示される（Ｓ６）。
【００７１】
図８（ｂ）に示すようなプレゼントを持った画像１０１を撮像すると（Ｓ７）、撮像された画像１０２がフラッシュメモリ５０に保存記録される（Ｓ８、図８（ｃ））。また、この画像の画像番号（＝１２０）が報知画像表示条件リスト６０の画像番号欄６１に登録される。同時に、報知開始時刻欄６３に設定された報知開始時刻（１９９８年１１月１２日８時００分）が、報知時間間隔欄６３には設定された時間間隔（９時間）が、繰り返し回数欄６５には更新された繰り返し回数が登録される。
【００７２】
また、ＨＥＬＰ画像を登録したい場合には報知画像登録後、条件選択／設定画面（図８（ａ））で「ＨＥＬＰ画像」を選択すれば、撮像した画像の画像番号が報知画像表示条件リスト６０のＨＥＬＰ画像番号欄６２に登録され、ＨＥＬＰ画像となる（Ｓ１１）。
【００７３】
これにより、ユーザがデジタルカメラ１００の電源をオフにしていても翌朝８時００分になると自動的に電源がオンとなってアラーム音が鳴り（Ｔ２）、報知画像１０３が表示されるので（Ｔ２，Ｔ３、図８（ｅ））、ユーザはそれを見て用意したプレゼントの品物を確認できる。また、ＨＥＬＰ画像がある場合にはその旨が表示され（Ｔ５）、ユーザの選択操作によりＨＥＬＰ画像を表示することができる（Ｔ７）。
【００７４】
また、報知画像表示後に報知開始時刻欄６３の内容（１９９８年１１月１２日８時００分）に報知時間間隔欄６３の内容（９時間）を加算して報知開始時刻を更新（次の報知開始時刻＝１９９８年１１月１２日１７時００分）し、繰り返し回数欄６５の内容から１を引いて繰り返し回数を更新する（Ｔ１２，Ｔ１３）。
【００７５】
上記動作により、撮像した後、所望の報知時期や報知条件等を設定した画像を報知画像として登録し、登録時間になると自動的に報知画像を表示してユーザに報知することができる。この場合、報知する情報の質が音（音声）や文字メッセージの場合と異なりユーザ報知画像の意味するところをストレートに伝達できるのでユーザは報知内容を迅速且つ正確に把握できる。更に、報知画像表示だけでは十分でない場合、文字メッセージや補足画像を撮像しておき報知画像の表示時にＨＥＬＰ画像表示することもできるので、従来より密度の高い情報を伝達でき、ユーザの記憶をより鮮明に蘇らすことができる。
【００７６】
［実施例２］：（記録画像から選択した画像を報知画像として用いる例）
本実施例は記録画像中から報知画像を選択して報知条件と共に登録し、報知時期が到来すると報知画像を表示して報知を行なう例である。
図９はデジタルカメラ１００の記録画像から選択した画像の報知画像登録動作の一実施例を示すフローチャートであり、報知条件等を報知画像選択時に設定する例である。また、図１０は報知画像表示の一例を示す図である。また、報知条件等選択・設定画面として図６に示した報知条件等選択・設定画面８０を用いる。
【００７７】
［記録画像の報知画像登録動作］
ステップＵ０：（報知画像表示処理プログラム等の起動）
図９で、デジタルカメラ１００の電源がオンになると、制御部２０は報知画像登録処理プログラム２８を起動する。なお、前述したように報知画像表示プログラム２９が起動されており、図９の報知画像登録処理と図５の報知画像表示処理は並列処理される（報知画像表示プログラム２９を報知画像登録処理プログラム２８の起動と同時に起動するようにしてもよい）。
【００７８】
ステップＵ１：（報知画像の有無判定）
制御部２０は報知画像表示条件リスト６０をサーチし、報知画像表示条件リスト６０に報知画像がある場合には報知画像表示フラグをオンにし、報知画像表示条件リスト６０に報知画像がない場合には報知画像表示フラグをオフにする。  報知画像表示フラグは報知画像表示プログラム２９による報知画像表示可否の判定動作開始用のフラグであり、オンの場合には実施例１の場合と同様に報知画像表示プログラム２９による報知画像表示可否の判定動作が開始される（図５参照）。
【００７９】
ステップＵ２：（処理モードの判定）
制御部２０はユーザが再生モードを選択した場合にはＵ３に遷移する。
また、ユーザが再生モード以外の処理モードを選択した場合にはその処理モードの実行に制御を移す。
【００８０】
ステップＵ３：（報知登録モード選択の有無判定）
制御部２０は操作部３０からの状態信号を調べ、ユーザが報知登録モード選択ボタン３７を押したか否かを判定し、報知登録モード選択ボタン３７が押された場合にはＵ４に遷移する。また、報知登録モード選択ボタン３７が押されない場合には他の再生処理に移行する。
【００８１】
ステップＵ４：（記録画像の再生）
制御部２０はフラッシュメモリ５０に保存記憶されている画像データを取り出して伸張処理して画像を再生し、表示部４０の液晶画面上に表示する。
【００８２】
ステップＵ５：（報知画像の選択操作）
制御部２０は操作部３０からの状態信号を調べ、シャッターボタン３６が押された場合には報知画像が選択されたものとしてＵ６に遷移する。また、＋／−キー３５のうち、＋が押された場合には次の画像を再生するように画像読み出し用アドレスカウンタに画像１フレーム分アドレス値を加えてＵ４に戻り、−が押された場合には前の画像を再生するように画像読み出し用アドレスカウンタから画像１フレーム分のアドレス値を差引いて（但し、差引の結果が画像格納領域の先頭番地より小さくなった場合には差引の結果を画像格納領域の先頭番地で置換）Ｕ４に戻る。この操作により、ユーザがプラス（＋）を押し続けると画像の早送りがなされ、マイナス（−）を押し続けると画像の早戻しがなされる。また、キャンセルキーが押された場合にはＵ１１に遷移する。
【００８３】
ステップＵ６：（報知条件等選択・設定画面表示）
制御部２０は図８に示したような報知条件等選択・設定画面８０を表示してユーザの選択および設定を促す（図１４（ａ））。
【００８４】
ステップＵ７：（報知条件等の選択・設定）
図１４でユーザは、画面上に表示された報知開始時間、報知時間間隔および繰り返し回数をカーソル、マウス或いはタッチペン等で指定してそれらを設定するしたり、説明画像（ＨＥＬＰ画像）表示の要否を選択することができる。
この場合、１桁の数字を１個指定した場合にはその１桁の数字の示す値が設定され、１桁の数字を２個指定した場合にはその順の２桁の数字が示す値が設定される（８を指定すれば８時間が、１２を指定すれば１２時間が設定される）。また、２桁の数字を１組指定した場合にはその順の２桁の数字が示す値が設定される（例えば、３０が指定されれば３０分が設定される）。
【００８５】
ステップＵ８：（説明画像（ＨＥＬＰ画像）の選択の要否判定）
制御部２０は上記ステップＵ７でユーザが「ＨＥＬＰ画像」を選択か否かを調べ、選択した場合にはＵ１０に遷移する。
【００８６】
ステップＵ９：（報知画像の登録処理）
制御部２０は上記ステップＵ５で決定した記録画像の画像番号をフラッシュメモリ５０上の報知画像表示条件リスト６０の画像番号欄６１に登録する。同時に、制御部２０は上記ステップＵ７で設定した報知開始時刻を報知開始時刻欄６３に、報知時間間隔を報知時間間隔欄６４に、繰り返し回数を繰り返し回数欄６５に登録する。また、報知画像表示フラグをオンにしてＵ１１に遷移する。
【００８７】
ステップＵ１０：（ＨＥＬＰ画像の登録処理）
制御部２０は上記ステップＵ５で決定した記録画像の画像番号をフラッシュメモリ５０上の報知画像表示条件リスト６０の画像番号欄６１に登録すると同時に、ＨＥＬＰ画像番号欄６２〜繰り返し回数欄６５を０またはスペース（空白）でクリアする。また、制御部２０は報知画像表示条件リスト６０でこのＨＥＬＰ画像の直前に登録された画像（報知画像）のＨＥＬＰ画像番号欄６２にこのＨＥＬＰ画像の画像番号を登録する。
【００８８】
ステップＵ１１：（再生モード終了判定）
制御部２０は操作部３０からの状態信号を調べ、撮像モード終了操作が行なわれた場合には処理を終了し、そうでない場合にはＵ３に戻る。
【００８９】
なお、図９のフローチャートでは報知条件等選択・設定処理（ステップＵ４，Ｕ５）を再生処理（ステップＵ６，Ｕ７）の前に行なったが、報知条件等選択・設定処理を撮像処理の前に行なうようにしてもよい。
【００９０】
また、図９のフローチャートではＨＥＬＰ画像（説明画像）を選択可能とした例について説明したが、上記ステップＵ８および１０を削除してＨＥＬＰ画像を撮像しないようにしてもよい。
【００９１】
（実施例２の具体例）
図９の例では、再生モードを選択し（Ｕ２）、報知モード選択ボタン３７を押すと（Ｕ３）、画像が再生される（Ｕ４：図１０（ａ））。次に、図１０（ａ）の再生画像１４１を報知画像として指定する（シャッターボタン３６を押し下げる）と（Ｕ５）、図８（ａ）に示すような報知条件等選択・設定画面８０が表示される（Ｕ６、図１０（ｂ））。
【００９２】
ユーザが、報知開始時刻＝１９９８年１１月１２日８時００分、報知時間間隔＝９時間、繰り返し回数＝１を設定し、設定操作が終ると（Ｕ７）、この画像の画像番号（＝１２０）が報知画像表示条件リスト６０の画像番号欄６１に登録される。同時に、報知開始時刻欄６２には（１９９８年１１月１２日８時００分）が、報知時間間隔欄６３には設定された時間間隔（９時間）が、繰り返し回数欄６５には設定された繰り返し回数１が登録される。
【００９３】
また、ＨＥＬＰ画像を登録したい場合には報知画像登録後、条件選択／設定画面（図８（ａ））で「ＨＥＬＰ画像」を選択すれば、その画像番号が報知画像表示条件リスト６０のＨＥＬＰ画像番号欄６２に登録され（Ｕ１０）、ＨＥＬＰ画像となる。
【００９４】
これにより、ユーザがデジタルカメラ１００の電源をオフにしていても翌朝８時００分になると自動的に電源がオンとなってアラーム音が鳴り（Ｔ２）、報知画像１０３が表示されるので（Ｔ３、図１０（ｄ））、ユーザはそれを見て用意したプレゼントの品物を確認できる。また、ＨＥＬＰ画像がある場合にはその旨が表示され（Ｔ５）、ユーザの選択操作によりＨＥＬＰ画像を表示することができる（Ｔ７）。
【００９５】
また、報知画像表示後に報知開始時刻欄６３の内容（１９９８年１１月１２日８時００分）に報知時間間隔欄６３の内容（９時間）を加算して報知開始時刻を更新（次の報知開始時刻＝１９９８年１１月１２日１７時００分）し、繰り返し回数欄６５の内容から１を引いて繰り返し回数を更新する（Ｔ１２，Ｔ１３）。
【００９６】
上記動作により、再生した画像から所望の画像を選んでから所望の報知時期や報知条件等を設定して報知画像として登録できるので、撮像の都度報知画像として登録する必要がなく、何枚か撮像しておいて撮像後、最も適切な画像を選んで報知画像として登録することができる。また、ＨＥＬＰ画像用のメッセージや補足画像を何枚も撮像しておき、報知画像に組合せてＨＥＬＰ画像として登録し、報知画像の表示時にＨＥＬＰ画像表示することもできる。
【００９７】
・応用例（１）：忘れ物防止
図１１は本発明の具体的応用例を示す図であり、明日（１１日）提出する宿題のレポート１５１，１５２（図１１（ａ））を前夜終えてから提出忘れがないように撮像して朝８時に報知開始時刻を設定しておいた例であり、１１日の朝８時になるとアラーム音と共に図１１（ｂ）に示す報知画像１５１，１５２が表示される。
【００９８】
・応用例（２）：薬飲み忘れおよび誤飲防止
図１２は本発明の具体的応用例を示す図であり、（ａ）に示すように多種類の薬のうち幾つかを組合せて朝、昼、夕に飲む場合に、患者や看護人に組合せの誤りや、飲む時間を間違えないように時間毎に薬の組合せをカラー表示すると共に飲む量を表示する。
【００９９】
（ａ）に示す赤色錠剤１６１、粉薬１６２、夥粒薬１６３、白色錠剤１６４のうち、赤色錠剤１６１と粉薬１６２の組合せ、夥粒薬１６３と白色錠剤１６４の組合せ、赤色錠剤１６１と夥粒薬１６３の組合せを飲むタイミングと数量を書いた紙と共に撮像し、赤色錠剤１６１と粉薬１６２の組合せについては朝７時を報知開始時刻、夥粒薬１６３と白色錠剤１６４の組合せについては正午を報知開始時刻、赤色錠剤１６１と夥粒薬１６３の組合せについては夕方７時を報知開始時刻として、それぞれの報知間隔を２４時間、繰り返し回数＝１００として、それぞれの画像を登録すると、毎日、朝７時には（ｂ）に示すような報知画像が、正午には（ｃ）に示すような報知画像が、夕方７時には（ｄ）に示すような報知画像がアラーム音と共にカラー表示されるので、患者、看護人のいずれにとっても薬の組合せや飲むタイミングおよび量を誤るようなことを事前に防止できる。
【０１００】
以上本発明の一実施例について説明したが、本発明は上記実施例に限定されるものではなく、種々の変形実施が可能であることはいうまでもない。
【０１０１】
【発明の効果】
以上説明したように、第１の発明の画像表示による報知方法および第２の発明の電子カメラによれば、報知モードを選択して撮像するだけで撮像した画像が自動的に報知画像として登録されるので操作が簡単であり、また、報知する情報の質が従来のような音（音声）や文字メッセージによるアラーム出力の場合と異なり、ユーザに報知画像の意味するところをストレートに伝達できるのでユーザは報知内容を迅速且つ正確に把握できる。
【０１０２】
また、第３の発明の電子カメラによれば、再生した画像から所望の画像を選んでから所望の報知時期や報知条件等を設定して報知画像として登録できるので、撮像の都度報知画像として登録する必要がなく、何枚か撮像しておいて撮像後、最も適切な画像を選んで報知画像として登録することができる。また、説明用の画像（ＨＥＬＰ画像）のメッセージや補足画像を何枚も撮像しておき、報知画像に組合せてＨＥＬＰ画像として登録し、報知画像の表示時にＨＥＬＰ画像表示することもできる。
【０１０３】
また、第４の発明の電子カメラによれば、報知画像が表示されていることを音響或いは振動でユーザに知らせることができるので、ユーザが報知画像を見過ごすことがない。また、従来のような音響或いは振動による報知（例えば、時刻報知）とは異なり、音響や振動による報知より情報密度の高い画像による報知を行なうことができる。
【図面の簡単な説明】
【図１】本発明の画像による報知方法を適用可能なデジタルカメラの回路構成例を示すブロック図である。
【図２】報知画像表示条件を登録した報知画像表示条件リストの一実施例の説明図である。
【図３】報知画像登録処理プログラムおよび報知画像表示プログラムの概要説明図である。
【図４】デジタルカメラの撮像画像の報知画像登録動作の一実施例を示すフローチャートである。
【図５】デジタルカメラの報知画像表示動作を示すフローチャートである。
【図６】報知条件等選択・設定画面の一例の説明図である。
【図７】撮像時の操作案内表示の一例の説明図である。
【図８】報知画像表示の一例の説明図である。
【図９】記録画像か選択した画像の報知画像登録動作の一実施例を示すフローチャートである。
【図１０】報知画像表示の一例の説明図である。
【図１１】報知画像表示の一例の説明図である。
【図１２】報知画像表示の一例の説明図である。
【符号の説明】
２０  制御部（表示制御手段）
２８  報知画像登録プログラム（報知画像登録手段）
３６  シャッターボタン（撮像指示手段）
３７  報知モード選択ボタン（報知画像登録指示手段）
４０  表示部（表示手段）
４５  音入出力手段（音響出力手段）
４７  バイブレータ（振動手段）
５１，１０１  撮像した画像
１０３，１４２−１  報知画像
６０  報知画像表示条件リスト（表示条件登録手段）
８０  報知条件等選択・設定画面（表示条件登録手段）
１００  デジタルカメラ（電子カメラ）
１４１  再生した記録画像
【図１】
0003642205.tif 000002
【図２】
0003642205.tif 000003
【図３】
0003642205.tif 000004
【図４】
0003642205.tif 000005
【図５】
0003642205.tif 000006
【図６】
0003642205.tif 000007
【図７】
0003642205.tif 000008
【図８】
0003642205.tif 000009
【図９】
0003642205.tif 000010
【図１０】
0003642205.tif 000011
【図１１】
0003642205.tif 000012
【図１２】
0003642205.tif 000013